(57)【要約】【課題】  軸受部材を支軸に対して容易に軸支させることができる構造であるとともに、容易な構造でロック部材が構成されるパチンコ機の前枠取付用ヒンジを提供する。【解決手段】  パチンコ機の外枠１１に前枠１０を開閉可能に取付けるパチンコ機の前枠取付用ヒンジ２が、略垂直方向に立設された支軸３３を有する有軸部材３と、支軸３３に軸支される軸受部材４とを有する。軸受部材４は、支軸３３が略水平方向に差込まれるガイド溝４３を有する。そして軸受部材４には、支軸３３がガイド溝４３から抜け出ることを防止するために、軸受部材４に対して上方から係止するロック部材５が略垂直方向に移動可能に取付けられている。【選択図】        図９
2005058330.tif 000002
【特許請求の範囲】
【請求項１】
パチンコ機の外枠に前枠を開閉可能に取付けるパチンコ機の前枠取付用ヒンジにおいて、
略垂直方向に立設された支軸を有する有軸部材と、前記支軸に軸支される軸受部材とを有し、前記軸受部材は、前記支軸が略水平方向に差込まれるガイド溝を有し、前記軸受部材には、前記支軸が前記ガイド溝から抜け出ることを防止するために、前記支軸に対して上方から係止するロック部材が略垂直方向に移動可能または回動可能に取付けられていることを特徴とするパチンコ機の前枠取付用ヒンジ。
【請求項２】
請求項１に記載のパチンコ機の前枠取付用ヒンジにおいて、
ロック部材は、軸受部材の上面側に設けられ、自重によって支軸の上方から下方に移動して前記支軸に係止する構造になっていることを特徴とするパチンコ機の前枠取付用ヒンジ。
【請求項３】
請求項２に記載のヒンジであって、かつロック部材が軸受部材に対して垂直方向に移動可能に取付けられるタイプのパチンコ機の前枠取付用ヒンジにおいて、
前記ロック部材は、下側に突出する複数のスライド部を有し、前記各スライド部は、前記軸受部材に形成された案内部を通って前記軸受部材の裏面へ貫通し、先端部には、前記軸受部材の裏面に係止することで前記軸受部材から抜け出ることを防止するストッパーを有する構成になっていることを特徴とするパチンコ機の前枠取付用ヒンジ。
【請求項４】
請求項１から３のいずれかに記載のパチンコ機の前枠取付用ヒンジにおいて、
支軸には、該支軸をガイド溝に沿って差込んだ際に、ロック部材を軸受部材に対して上方に移動または回動させる斜面が形成されていることを特徴とするパチンコ機の前枠取付用ヒンジ。
【発明の詳細な説明】
【技術分野】
【０００１】
本発明は、パチンコ機の外枠に前枠を開閉可能に取付けるパチンコ機の前枠取付用ヒンジに関する。
【背景技術】
【０００２】
パチンコ機の外枠に前枠を開閉可能に取付けるヒンジとして、従来特許文献１，２に記載のヒンジ等が知られていた。
特許文献１に係るヒンジは、支軸を有する有軸部材と、支軸に軸支される軸受部材を有していた。軸受部材は、支軸が垂直方向に挿入される軸孔と、その軸孔に支軸を誘導するための軸誘導部を有していた。軸誘導部は、支軸と軸孔を水平方向に近接させることで、軸受部材側を有軸部材に対して徐々に上方へ移動させる構造であった。そして支軸が軸孔に達すると軸受部材が有軸部材に対して落下し、軸孔に支軸が差し込まれる構造であった。
【０００３】
特許文献２に係るヒンジは、支軸を有する有軸部材と、支軸に軸支される軸受部材を有していた。そして軸受部材は、支軸が水平方向に差し込まれるガイド溝を有していた。そして軸受部材には、ガイド溝から支軸が脱落することを防止するために、ロック部材が水平方向に回動可能に取付けられていた。したがってガイド溝に支軸が水平方向に差し込まれ、ロック部材がガイド溝の入口を閉じることで、軸受部材が支軸に軸支される構造であった。
【特許文献１】特開２０００−４２２２２号公報
【特許文献２】特開平９−４７５５５号公報
【発明の開示】
【発明が解決しようとする課題】
【０００４】
しかし特許文献１に係るヒンジは、軸受部材を有軸部材に対して軸支させる場合に、軸受部材が有軸部材に対して持上げられる。そのため軸受部材が取付けられた前枠が、有軸部材が取付けられた外枠に対して持上げられる。したがって軸受部材を有軸部材に対して軸支させる場合は、前枠を持上げるのに十分な強さで前枠を外枠に向けて強く押す必要があった。
また特許文献２に係るヒンジは、支軸が軸受部材に対して水平方向に差し込まれていた。そしてロック部材も水平方向に回動する構造であった。したがってロック部材は、複雑な構成になる傾向にあった。例えば、ロック部材が逆方向に回動するのを防止する巻バネ等が必要であった。
そこで本発明は、軸受部材を支軸に対して容易に軸支させることができる構造であるとともに、容易な構造でロック部材が構成されるパチンコ機の前枠取付用ヒンジを提供することを課題とする。
【課題を解決するための手段】
【０００５】
前記課題を解決するために本発明は、各請求項に記載の通りの構成を備えるパチンコ機の前枠取付用ヒンジであることを特徴とする。
請求項１に記載の発明によると、前枠取付用ヒンジが略垂直方向に立設された支軸を有する有軸部材と、支軸に軸支される軸受部材とを有する。そして軸受部材は、支軸が略水平方向に差込まれるガイド溝を有する。そして軸受部材には、支軸がガイド溝から抜け出ることを防止するために、支軸に対して上方から係止するロック部材が略垂直方向に移動可能または回動可能に取付けられている。
【０００６】
すなわち支軸は、略水平方向に軸受部材のガイド溝に差込まれる。そして支軸は、ロック部材によってガイド溝から抜け出ることが防止される。またロック部材は、軸受部材に対して略垂直方向に移動可能または回動可能に取付けられており、支軸に対して上方から係止する。
したがって軸受部材を支軸に対して軸支させる場合は、軸受部材を有軸部材に対して略水平方向に移動させる。あるいは有軸部材を軸受部材に対して略水平方向に移動させる。そのため軸受部材を有軸部材に対して持上げることなく、軸受部材を支軸に軸支させることができる。
【０００７】
またロック部材は、支軸に対して上方から係止する。したがってロック部材は、支軸が軸受部材のガイド溝に差込む方向（略水平方向）とほぼ直交する上方から支軸に係止する。したがってロック部材は、支軸がガイド溝から抜け出ることを安定良く防止する。そしてロック部材を容易な構成にすることができ、ヒンジが容易な構成になり得る。
【０００８】
請求項２に記載の発明によると、ロック部材は、軸受部材の上面側に設けられ、自重によって支軸の上方から下方に移動して支軸に係止する構造になっている。
したがってロック部材は、自重を利用することで支軸に係止する。そのためヒンジは、ロック部材を支軸に係止させるバネ部材等が不要になる。かくしてヒンジは、容易な構成になる。
【０００９】
請求項３に記載の発明によると、ロック部材が軸受部材に対して垂直方向に移動可能に取付けられるタイプの前枠取付用ヒンジである。ロック部材は、下側に突出する複数のスライド部を有する。そして各スライド部は、軸受部材に形成された案内部を通って軸受部材の裏面へ貫通し、先端部には、軸受部材の裏面に係止することで軸受部材から抜け出ることを防止するストッパーを有する構成になっている。
すなわちロック部材は、複数のスライド部を有する。したがってロック部材は、複数のスライド部によって案内されることで、水平方向に回転することが防止される。かくしてロック部材は、安定良く略垂直方向に移動する。
またスライド部は、ロック部材から下方に突出し、ロック部材とともに移動する。したがってスライド部は、ロック部材よりも上方に突出する状態になることがない。かくしてスライド部は、軸受部材を支軸に軸支させる際に邪魔になりにくい構造になっている。
【００１０】
請求項４に記載の発明によると、支軸には、支軸をガイド溝に沿って差込んだ際に、ロック部材を軸受部材に対して上方に移動または回動させる斜面が形成されている。
したがって支軸をガイド溝へ差込むことで、ロック部材が支軸の斜面によって上方に持上げられる。そのためロック部材は、支軸の斜面を利用することで容易に支軸に係止される。
【発明の効果】
【００１１】
本発明に係る前枠取付用ヒンジによると、軸受部材を支軸に対して容易に軸支させることができるとともに、容易な構造でロック部材が構成される。
【発明を実施するための最良の形態】
【００１２】
（実施の形態１）
本発明の実施の形態１を図１〜１４にしたがって説明する。
パチンコ機１は、図１に示すように外枠１１と前枠１０を有する。そして外枠１１の一側縁に複数のヒンジ２，１６が取付けられている。
また前枠１０のほぼ中央部には、ガラス扉１２が開閉自在に取付けられている。そしてガラス扉１２の下側には、賞球を受ける上皿１３が取付けられ、上皿１３の下側には、下部受皿１４とハンドル１５が取付けられている。
【００１３】
ヒンジ１６は、図２に示すように有軸部材１７と軸受部材１８を有している。
有軸部材１７は、金属製であって外枠１１の下方寄りの前面部に取付けられている。そして有軸部材１７は、略垂直方向に立設する支軸１７ａを有する。
軸受部材１８は、金属製であって前枠１０の下側面に取付けられている。そして軸受部材１８は、前枠１０よりも前方に張出しており、張出した部分に貫通孔１８ａが設けられている。そして貫通孔１８ａに支軸１７ａが嵌め込まれることで、軸受部材１８が支軸１７ａに対して軸支される構成になっている。
【００１４】
ヒンジ２は、図２に示すように有軸部材３と軸受部材４とロック部材５を有する。
有軸部材３は、金属製であって図５，６に示すように外枠（１１）の上面に取付けられる取付部３１と、外枠（１１）の側面に取付けられる取付部３０を有する。そして取付部３１の前端には、前方へ張出す張出部３２が形成されている。そして張出部３２の上面には、略垂直方向に突出する支軸３３が立設されている。そして支軸３３には、斜面３３ａが形成されている。
斜面３３ａは、支軸３３前寄り側面に形成されており、斜め上方でかつ斜め前方を向いている。
【００１５】
軸受部材４は、金属製であって図３に示すように前枠（１０）の上面に取付けられる取付部４０と、前枠（１０）の背面に取付けられる取付部４１を有する。
取付部４０には、複数（例えば二つ）の案内部４４，４５が形成されている。そして取付部４０の一側端（左端）には、前方へ張出す張出部４２が形成されている。そして張出部４２には、ガイド溝４３が形成されている。
【００１６】
ガイド溝４３は、張出部４２に切欠き溝状に形成されており、一側端（左端）側に開口部を有する。そして他端（右端）側に向けて延出している。かくしてガイド溝４３は、図１１に示すように支軸３３が開口部から略水平方向に差し込まれる構成になっている。
案内部４４，４５は、図３に示すように取付部４０の前側縁と後側縁に切欠き溝状に形成されている。そして図４に示すように案内部４４，４５のそれぞれにロック部材５のスライド部５２，５３が差込まれる。そして案内部４４，４５は、スライド部５２，５３を略垂直方向に移動可能に支持する。
【００１７】
ロック部材５は、金属製であって図３に示すように板部５０を有する。そして板部５０は、軸受部材４の上面側に設置され、軸受部材４の上面と面接可能な構成になっている。そして板部５０には、板部５０から下側に突出する複数（例えば二つ）のスライド部５２，５３が一体に設けられている。また板部５０には、厚み方向に貫通する貫通孔５１が形成されている。そして貫通孔５１には、図９に示すように支軸３３が挿通される。かくしてロック部材５は、支軸３３に係止する。
【００１８】
スライド部５２，５３は、図３に示すように先端側にストッパー５２ａ，５３ａを有する。例えば図４に示すようにスライド部５２，５３を案内部４４，４５に貫通させ、その先端を折り曲げることでストッパー５２ａ，５３ａがスライド部５２，５３の先端に形成される。
【００１９】
かくしてスライド部５２，５３は、案内部４４，４５によって案内されながら軸受部材４に対して略垂直方向にスライドする。そしてスライド部５２，５３は、ストッパー５２ａ，５３ａが軸受部材４の裏面に係止することで軸受部材４から脱落しない構成になっている。
これによりロック部材５は、複数のスライド部５２，５３によって軸受部材４に対して略垂直方向に移動可能に取付けられる。
【００２０】
以上のようにして有軸部材３，１７と軸受部材４，１８が形成される。そして図２に示すように有軸部材３，１７が外枠１１の一端縁に取付けられる。そして軸受部材４，１８が前枠１０の一端縁に取付けられる。
【００２１】
次に、前枠１０を外枠１１に取付ける方法を説明する。
先ず、（図２参照）下側の有軸部材１７に下側の軸受部材１８を軸支させるために、前枠１０を持上げながら軸受部材１８の貫通孔１８ａを有軸部材１７の支軸１７ａに嵌める。
次に、上側の軸受部材４を上側の有軸部材３に軸支させるために、前枠１０の上端側を外枠１１に向けて押す。これにより軸受部材４が図７，８に示すように有軸部材３に対して略水平方向に移動する。そして図８に示すように支軸３３がガイド溝４３に案内されながらガイド溝４３に差込まれる。
【００２２】
そしてこの時、支軸３３は、図１２，１３に示すように斜面３３ａによってロック部材５を上方に持上げる。
そして図１４に示すように支軸３３が貫通孔５１に到達することでロック部材５が自重によって支軸３３の上方から下方に移動する。これにより貫通孔５１に支軸３３が差込まれ、ロック部材５が支軸３３に対して係止する（図９参照）。そしてロック部材５は、支軸３３がガイド溝４３から脱落することを防止する。
かくして軸受部材４が支軸３３に軸支され、前枠１０がヒンジ（２，１６）を介して外枠１１に蝶着される。そして図１０に示すように前枠１０が外枠１１に対して回動可能に取付けられる。
【００２３】
以上のようにしてヒンジ２が構成される。
すなわち支軸３３は、図１１〜１４に示すように略水平方向に軸受部材４のガイド溝４３に差込まれる。そして支軸３３は、図１４に示すようにロック部材５によってガイド溝（４３）から抜け出ることが防止される。またロック部材５は、図１３，１４に示すように軸受部材４に対して略垂直方向に移動可能に取付けられている。そしてロック部材５は、支軸３３に対して上方から係止する。
【００２４】
したがって軸受部材４を支軸３３に対して軸支させる場合は、軸受部材４を有軸部材３に対して略水平方向に移動させる。あるいは有軸部材３を軸受部材４に対して略水平方向に移動させる。そのため軸受部材４を有軸部材３に対して持上げることなく、軸受部材４を支軸３３に軸支させることができる。
またロック部材５は、図１１〜１４に示すように支軸３３に対して上方から係止する。したがってロック部材５は、支軸３３が軸受部材４のガイド溝４３に差込む方向（略水平方向）とほぼ直交する上方から支軸３３に係止する。したがってロック部材５は、支軸３３がガイド溝４３から抜け出ることを安定よく防止する。そしてロック部材５を容易な構成にすることができ、ヒンジ２が容易な構成になり得る。
【００２５】
またロック部材５は、図８に示すように軸受部材４の上面側に設けられ、自重によって支軸３３の上方から下方に移動して支軸３３に係止する構造になっている。
したがってロック部材５は、自重を利用することで支軸３３に係止する。そのためヒンジ２は、ロック部材５を支軸３３に係止させるバネ部材等が不要になる。かくしてヒンジ２は、容易な構成になる。
【００２６】
またロック部材５は、図３に示すように複数のスライド部５２，５３を有する。したがってロック部材５は、複数のスライド部５２，５３によって案内されることで、水平方向に回転することが防止される。かくしてロック部材５は、安定良く略垂直方向に移動する。
またスライド部５２，５３は、図１３に示すようにロック部材５から下方に突出し、ロック部材５とともに移動する。したがってスライド部５２，５３は、ロック部材５よりも上方に突出する状態になることがない。かくしてスライド部５２，５３は、軸受部材４を支軸３３に軸支させる際に邪魔になりにくい構造になっている。
【００２７】
また支軸３３には、図１３に示すように支軸３３をガイド溝（４３）に沿って差込んだ際に、ロック部材５を軸受部材４に対して上方に移動させる斜面３３ａが形成されている。
したがって支軸３３をガイド溝（４３）へ差込むことで、ロック部材５が支軸３３の斜面３３ａによって上方に持上げられる。そのためロック部材５は、支軸３３の斜面３３ａを利用することで容易に支軸３３に係止される。
【００２８】
（実施の形態２）
実施の形態２を図１５〜１７にしたがって説明する。実施の形態２は、実施の形態１とほぼ同様に形成されている。しかし実施の形態２に係る軸受部材４は、図３に示す案内部４５に代えて図１５に示す案内部４６を有する。そしてロック部材５は、図３に示すスライド部５３に代えてスライド部５４を有する。以下、これら相違点を中心に実施の形態２について説明する。
【００２９】
案内部４６は、図１５に示すように取付部４０を厚み方向に貫通する貫通孔である。そしてその径は、スライド部５４よりも大きい。したがって案内部４６には、スライド部５４がスライド可能に差し込まれる。
スライド部５４は、ロック部材５の板部５０の下面に溶接や螺合などで取付けられている。したがってスライド部５４は、板部５０から下側に突出する。そしてスライド部５４は、案内部４６に挿通されて軸受部材４を貫通した状態で、その先端部にストッパー５４ａが設けられる。例えばスライド部５４の先端部をかしめることでストッパー５４ａが形成される。かくしてスライド部５４は、ストッパー５４ａによって案内部４６から抜け出ることが防止される。
これによりロック部材５は、スライド部５４とスライド部５２によって軸受部材４に対して垂直方向に移動可能に取付けられる。
【００３０】
（実施の形態３）
実施の形態３を図１８〜２０にしたがって説明する。実施の形態３は、実施の形態２とほぼ同様に形成されている。しかし実施の形態３に係るロック部材５は、図１５に示すスライド部５４に代えてスライド部５５を有する。以下、これら相違点を中心に実施の形態３について説明する。
【００３１】
スライド部５５は、図１８に示すように棒状であって、下側先端にストッパー５５ａを有する。なおストッパー５５ａは、スライド部５５の下側先端をかしめるなどによって形成されている。
そしてスライド部５５は、軸受部材４の下側から貫通孔４６に差込まれ、その先端部がロック部材５の板部５０に形成された取付孔５０ａに取付けられる。例えば溶接、圧入または羅合によって取付けられる。
【００３２】
かくしてロック部材５は、スライド部５５とスライド部５２によって軸受部材４に対して垂直方向に移動可能に取付けられる。
また本形態によるとロック部材５は、スライド部５５を有してない状態で軸受部材４に設置されるため、スライド部５２は、ストッパー５２ａが形成された状態のまま案内部４４に設置され得る。かくしてロック部材５は、容易に軸受部材４に取付けられる。
【００３３】
（実施の形態４）
実施の形態４を図２１，２２にしたがって説明する。実施の形態４は、実施の形態１とほぼ同様に形成されている。しかしスライド部のうちの一つが軸受部材側に設けられている点が実施の形態１と異なっている。
すなわちロック部材５は、図２１に示すように一つのスライド部５２を有するが、図３に示すスライド部５３を有さない。そしてロック部材５の板部５０には、貫通孔状に案内部５６が形成されている。そして案内部５６には、スライド部５７がスライド可能に挿通される。
【００３４】
一方、軸受部材４は、取付孔４７を有する。そして取付孔４７にスライド部５７の下側先端部が取付けられる。例えば、溶接、螺合または圧入等によって取付けられる。したがって軸受部材４にスライド部５７が設けられる。
またスライド部５７には、上側先端部にストッパー５７ａが形成されている。そしてストッパー５７ａは、スライド部５７の上側先端をかしめるなどにより形成される。かくしてスライド部５７は、ストッパー５７ａによって案内部５６からの抜け止めがなされる。
【００３５】
また軸受部材４は、図３に示す案内部４４に代えて図２１に示す案内部４８を有する。案内部４８は、図２１に示すように取付部４０と張出部４２からなる角部によって形成されており、張出部４２側の側縁４８ａと取付部４０側の側縁４８ｂとを有する。
かくしてロック部材５は、案内部５６によって略垂直方向に案内支持されるスライド部５７と、案内部４８によって案内支持されるスライド部５２を介して軸受部材４に対して略垂直方向にスライド可能に取付けられる。
【００３６】
（他の実施の形態）
本発明は、実施の形態１〜４に限定されず、以下の形態であってもよい。
例えば実施の形態１〜４は、ロック部材が軸受部材に対して略垂直方向にスライド可能に取付けられていた。しかしロック部材が軸受部材に対して垂直方向に回動可能に取付けられる形態であってもよい。そしてロック部材は、垂直方向に回動されることで支軸に対して上方から係止する形態であってもよい。
【図面の簡単な説明】
【００３７】
【図１】パチンコ機の正面図である。
【図２】外枠の左側面図と、前枠の正面図である。
【図３】軸受部材とロック部材の斜視図である。
【図４】軸受部材とロック部材とを組付けた状態における斜視図である。
【図５】左前方からの有軸部材の斜視図である。
【図６】右後方からの有軸部材の斜視図である。
【図７】有軸部材に対して軸受部材を取付ける様子を示す斜視図である。
【図８】有軸部材に対して軸受部材を取付ける様子を示す斜視図である。
【図９】有軸部材に対して軸受部材を取付けた状態を示す斜視図である。
【図１０】有軸部材に対して軸受部材を取付けた状態を示す斜視図である。
【図１１】有軸部材に対して軸受部材を取付ける様子を示す上面図である。
【図１２】有軸部材に対して軸受部材を取付ける様子を示す側面図である。
【図１３】有軸部材に対して軸受部材を取付ける様子を示す側面図である。
【図１４】有軸部材に対して軸受部材を取付けた状態を示す側面図である。
【図１５】実施の形態２に係る軸受部材とロック部材の斜視図である。
【図１６】実施の形態２に係る軸受部材とロック部材を組付けた状態の斜視図である。
【図１７】実施の形態２に係るロック部材の斜視図である。
【図１８】実施の形態３に係る軸受部材とロック部材の斜視図である。
【図１９】実施の形態３に係る軸受部材とロック部材を組付けた状態の斜視図である。
【図２０】実施の形態３に係るロック部材の斜視図である。
【図２１】実施の形態４に係る軸受部材とロック部材の斜視図である。
【図２２】実施の形態４に係る軸受部材とロック部材を組付けた状態の斜視図である。
【符号の説明】
【００３８】
１…パチンコ機
２，１６…ヒンジ
３，１７…有軸部材
４，１８…軸受部材
５…ロック部材
１０…前枠
１１…外枠
３３…支軸
３３ａ…斜面
４３…ガイド溝
５１…貫通孔
５２，５３，５４，５５，５７…スライド部
【図１】
2005058330.tif 000003
【図２】
2005058330.tif 000004
【図３】
2005058330.tif 000005
【図４】
2005058330.tif 000006
【図５】
2005058330.tif 000007
【図６】
2005058330.tif 000008
【図７】
2005058330.tif 000009
【図８】
2005058330.tif 000010
【図９】
2005058330.tif 000011
【図１０】
2005058330.tif 000012
【図１１】
2005058330.tif 000013
【図１２】
2005058330.tif 000014
【図１３】
2005058330.tif 000015
【図１４】
2005058330.tif 000016
【図１５】
2005058330.tif 000017
【図１６】
2005058330.tif 000018
【図１７】
2005058330.tif 000019
【図１８】
2005058330.tif 000020
【図１９】
2005058330.tif 000021
【図２０】
2005058330.tif 000022
【図２１】
2005058330.tif 000023
【図２２】
2005058330.tif 000024